(57)【要約】  本発明は、ＡＭＯＬＥＤ（Ａｃｔｉｖｅ  Ｍａｔｒｉｘ  Ｏｒｇａｎｉｃ  Ｌｉｇｈ−Ｅｍｉｔｔｉｎｇ  Ｄｉｏｄｅ）を表示部として使用する装置で発生することができる残像現象を減少させるためのＧＵＩ提供方法とこれを具現する表示装置に関する。本発明の実施例による表示装置の残像減少のためのＧＵＩ（Ｇｒａｐｈｉｃ  Ｕｓｅｒ  Ｉｎｔｅｒｆａｃｅ）提供方法は、所定の位置に少なくとも１つのアイテムを表示する段階と；所定の条件によって前記表示装置の表示部をオフ（ｏｆｆ）する段階と；前記表示部のオン（ｏｎ）命令が入力される段階と；前記少なくとも１つのアイテムを前記表示部のオフ直前に表示された位置から所定の間隔をもって移動させて表示する段階と；を含むことを特徴とする。
2014515119.tif 000002
【特許請求の範囲】
【請求項１】
表示装置の残像減少のためのＧＵＩ（Ｇｒａｐｈｉｃ  Ｕｓｅｒ  Ｉｎｔｅｒｆａｃｅ）提供方法において、
所定の位置に少なくとも１つのアイテムを表示する段階と；
所定の条件によって前記表示装置の表示部をオフ（ｏｆｆ）する段階と；
前記表示部のオン（ｏｎ）命令が入力される段階と；
前記少なくとも１つのアイテムを前記表示部のオフ直前に表示された位置から所定の間隔をもって移動させて表示する段階と；を含むことを特徴とするＧＵＩ提供方法。
【請求項２】
前記少なくとも１つのアイテムを移動させて表示する段階は、
前記少なくとも１つのアイテムを所定の間隔をもって前記アイテムの配列方向に移動させて表示する段階であることを特徴とする請求項１に記載のＧＵＩ提供方法。
【請求項３】
前記少なくとも１つのアイテムを移動させて表示する段階は、
前記少なくとも１つのアイテムをアイテム配列方向に１ピクセル（ｐｉｘｅｌ）移動させて表示する段階であることを特徴とする請求項２に記載のＧＵＩ提供方法。
【請求項４】
前記少なくとも１つのアイテムを移動させて表示する段階は、
水平方向に整列された複数のアイテムを左または右に所定の間隔をもって移動させる段階；及び
垂直方向に整列された複数個のアイテムを上または下に所定の間隔をもって移動させる段階のうち１つ以上を含むことを特徴とする請求項２に記載のＧＵＩ提供方法。
【請求項５】
前記少なくとも１つのアイテムを移動させて表示する段階は、
前記少なくとも１つのアイテムをアイテム配列方向に２ピクセル範囲内で１ピクセル単位に移動させて表示する段階であることを特徴とする請求項１に記載のＧＵＩ提供方法。
【請求項６】
前記オフする段階は、
ユーザによって表示部オフ命令が入力される段階及び所定の時間が経過する場合に前記表示部をオフする段階のうち１つであることを特徴とする請求項１に記載のＧＵＩ提供方法。
【請求項７】
前記少なくとも１つのアイテムは、
複数のアイテムに該当し、
前記少なくとも１つのアイテムを移動させて表示する段階は、
前記表示部のオフ状態でオン命令が入力される度に、所定の順序によってアイテムを１つずつまたはグループ別に移動させて表示する段階であることを特徴とする請求項１に記載のＧＵＩ提供方法。
【請求項８】
前記少なくとも１つのアイテムを表示する段階は、
前記少なくとも１つのアイテムをそれぞれ前記表示部に割り当てられた第１領域及び第２領域の所定の位置に表示する段階であることを特徴とする請求項１に記載のＧＵＩ提供方法。
【請求項９】
前記少なくとも１つのアイテムを移動させて表示する段階は、
前記第１領域内の少なくとも１つのアイテムを前記表示部のオフ直前に表示された位置から所定の間隔をもって移動させて表示する段階と；
前記表示部のオフ状態でオン命令が入力される累積回数が所定の回数に到逹するかを判断する段階と；
前記所定の回数に到逹する場合、前記第２領域内の少なくとも１つのアイテムを前記表示部のオフ直前に表示された位置から所定の間隔をもって移動させて表示する段階と；
前記表示部のオフ状態でオン命令が入力される累積回数を０に更新する段階と；を含むことを特徴とする請求項８に記載のＧＵＩ提供方法。
【請求項１０】
所定の位置に少なくとも１つのアイテムを表示する表示部と；
所定の条件によって前記表示部をオン（ｏｎ）／オフ（ｏｆｆ）する表示部オン／オフ制御部と；
前記表示部のオン（ｏｎ）命令を入力される入力部と；
前記表示部のオフ状態で前記入力部を介してオン命令が入力されれば、前記少なくとも１つのアイテムを前記表示部のオフ直前に表示された位置から所定の間隔をもって移動させて表示するように前記表示部を制御するアイテム移動部と；を含むことを特徴とする表示装置。
【請求項１１】
前記アイテム移動部は、
前記少なくとも１つのアイテムをアイテム配列方向に所定の個数のピクセル範囲内で１ピクセル単位に移動させて表示するように前記表示部を制御することを特徴とする請求項１０に記載の表示装置。
【請求項１２】
前記アイテム移動部は、水平方向に整列された複数個のアイテムを左または右に所定の間隔をもって移動させる動作及び垂直方向に整列された複数のアイテムを上または下に所定の間隔をもって移動させる動作のうちの１つ以上の動作を行うことを特徴とする請求項１１に記載の表示装置。
【請求項１３】
前記少なくとも１つのアイテムは、複数のアイテムに該当し、
前記アイテム移動部は、
前記表示部のオフ状態でオン命令が入力される度に、所定の順序によってアイテムを１つずつまたはグループ別に移動させて表示するように前記表示部を制御することを特徴とする請求項１０に記載の表示装置。
【請求項１４】
前記表示部は、
前記少なくとも１つのアイテムを第１領域及び第２領域の所定の位置に表示し、
前記アイテム移動部は、
前記表示部のオフ状態で前記入力部を介して前記表示部のオン命令が入力されれば、前記表示部を制御し、前記第１領域内の少なくとも１つのアイテムを前記表示部のオフ直前に表示された位置から所定の間隔をもって移動させて表示し、前記表示部のオフ状態でオン命令が入力される累積回数が所定の回数に到逹するものと判断すれば、前記表示部を制御し、前記第２領域内の少なくとも１つのアイテムを前記表示部のオフ直前に表示された位置から所定の間隔をもって移動させて表示し、前記表示部のオフ状態でオン命令が入力される累積回数を０に更新することを特徴とする請求項１０に記載の表示装置。
【請求項１５】
前記アイテム移動部は、
所定の位置に少なくとも１つのアイテムが表示された状態で、経過時間が所定の周期に到逹するかを判断し、到逹したものと判断すれば、前記表示部がオン（ｏｎ）状態であるかを判断し、オン状態の場合、前記表示部を制御し、前記少なくとも１つのアイテムを所定の間隔をもって移動させて表示することを特徴とする請求項１０に記載の表示装置。
【請求項１６】
電子装置において、
状態表示アイテムをディスプレイするための所定の状態表示領域を含み、自体発光ピクセル構成要素を含む表示部と；
前記状態表示領域に表示された前記状態表示アイテムの位置を条件によって時々１ピクセルまたは２ピクセルで移動させて、前記表示部上に表示されるピクセル構成要素に相違に電源が供給されるように制御する制御部と；を含む電子装置。
【請求項１７】
前記表示部は、Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ  ＡＭＯＬＥＤディスプレイを含み、
前記制御部は、前記状態表示アイテムの発光位置を時々変化させて、前記ＡＭＯＬＥＤディスプレイで同一位置に長期間発光が続くことによって発生する残像現象を低減するために前記表示部を制御することを特徴とする請求項１６に記載の電子装置。
【請求項１８】
電子装置において、
複数の自体発光ピクセル構成要素を含む表示部と；
前記表示部の一部分に最初に位置する状態表示アイテムを表示し、時々前記状態表示アイテムを前記表示部の一部分内で前記最初位置と異なる位置に移動させ、前記状態表示アイテムが移動する領域は、前記状態表示アイテムのサイズの二倍以下のサイズ内であり、前記状態表示アイテムが移動して表示される場合、以前に表示された部分と一部の領域が部分的に重複するように前記状態表示アイテムを表示する制御部と；を含む電子装置。
【請求項１９】
前記表示部は、Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ  ＡＭＯＬＥＤディスプレイを含み、
前記制御部は、前記状態表示アイテムの発光位置を時々変化させて前記ＡＭＯＬＥＤディスプレイで同一位置に長期間発光が続くことによって発生する残像現象を低減するために前記表示部を制御することを特徴とする請求項１８に記載の電子装置。
【請求項２０】
前記制御部は、前記状態表示アイテムの位置を１ピクセルまたは２ピクセルで移動させることを特徴とする請求項１８に記載の電子装置。
【請求項２１】
前記制御部は、前記状態表示アイテムをユーザが認識することができないように移動させることを特徴とする請求項２０に記載の電子装置。
【発明の詳細な説明】
【技術分野】
【０００１】
本発明は、表示装置のＧＵＩ（Ｇｒａｐｈｉｃ  Ｕｓｅｒ  Ｉｎｔｅｒｆａｃｅ）に関し、特に、ＡＭＯＬＥＤ（Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ）を表示部として使用する装置で発生することができる残像現象を減少させるためのＧＵＩ提供方法とこれを具現する表示装置に関する。
【背景技術】
【０００２】
表示装置において固定されたイメージが長時間持続して表示される場合、特定の固定されたイメージがそのまま残るようになる残像（Ｉｍａｇｅ  ｓｔｉｃｋｉｎｇ）現象が発生するようになる。ＴＦＴ−ＬＣＤ（Ｔｈｉｎ  Ｆｉｌｍ  Ｔｒａｎｓｉｓｔｏｒ−ＬＣＤ）の場合、特定のイメージに対する液晶の固着に起因して残像現象が発生するが、ＡＭＯＬＥＤ（Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ）の場合、特定のイメージを表示するために発光するピクセル（ｐｉｘｅｌ）の発光効率が時間が経つにつれて低下し、相対的に周囲のピクセルより低い明るさで発光するようになり、残像現象が発生するようになる。
【０００３】
具体的に、ＡＭＯＬＥＤ自発光素子は、赤色（Ｒｅｄ）、緑色（Ｇｒｅｅｎ）、青色（Ｂｌｕｅ）の３つの色で構成され、輝度の減少は、表示累積時間によって進行される。
【０００４】
図１ａは、表示累積時間による赤色、緑色、青色の輝度減少程度を示すグラフである。
図１ａで、赤色、緑色、青色は、いずれも時間の経過によって輝度が減少し、特に、青色が赤色及び緑色に比べて相対的に大きく減少する。
【０００５】
特に、高いグレイ（ｇｒａｙ）のイメージの場合、赤色、緑色、青色がすべて発光するようになり、発光時間が持続する場合、赤色、緑色、青色の輝度がすべて減少するようになり、イメージ転換が行われるとき、残像現象が発生するようになる。
【０００６】
図１ｂは、残像現象が発生した形態を示す例示図である。図１ｂの［ａ］のように、第１領域１１に高いグレイのイメージが表示され、第２領域１２に相対的に低いグレイのイメージが表示された状態を所定の時間以上に維持させた後、第２領域１２に第１領域１１と同一のグレイのイメージを表示すれば、図１ｂの［ｂ］のように、第１領域１１に残像が残るようになる。これは、第２領域１２に比べて第１領域１１で輝度減少がさらに多く行われるので発生する。
【０００７】
残像が残るようになる場合、特定のアプリケーションを実行するとき、残像として残ったイメージは、ユーザに不都合として作用することができる。
【発明の概要】
【発明が解決しようとする課題】
【０００８】
本発明の目的は、固定されたイメージが持続的に表示されることによって発生することができる残像現象を減少させるためのＧＵＩ提供方法とこれを具現する表示装置を提供することにある。
【課題を解決するための手段】
【０００９】
本発明の一態様による表示装置の残像減少のためのＧＵＩ（Ｇｒａｐｈｉｃ  Ｕｓｅｒ  Ｉｎｔｅｒｆａｃｅ）提供方法は、所定の位置に少なくとも１つのアイテムを表示する段階と；所定の条件によって前記表示装置の表示部をオフ（ｏｆｆ）する段階と；前記表示部のオン（ｏｎ）命令が入力される段階と；前記少なくとも１つのアイテムを前記表示部のオフ直前に表示された位置から所定の間隔をもって移動させて表示する段階と；を含む。
【００１０】
本発明の他の態様による残像減少のためのＧＵＩを提供する表示装置は、所定の位置に少なくとも１つのアイテムを表示する表示部と；所定の条件によって前記表示部をオン（ｏｎ）／オフ（ｏｆｆ）する表示部オン／オフ制御部と；前記表示部のオン（ｏｎ）命令を入力される入力部と；前記表示部のオフ状態で前記入力部を介してオン命令が入力されれば、前記少なくとも１つのアイテムを前記表示部のオフ直前に表示された位置から所定の間隔をもって移動させて表示するように前記表示部を制御するアイテム移動部と；を含む。
【発明の効果】
【００１１】
本発明によれば、表示装置は、表示部がオン（ｏｎ）される度に特定イメージの位置変更を行うので、前記特定イメージが固定された位置で継続的に表示されることによって発生することができる残像現象を減少させることができる。すなわち、表示装置は、特定イメージの位置調整を通じて残像輪郭を不鮮明にし、従来よりユーザが残像現象を認知するまでかかる時間を延長させることができる。
【００１２】
また、本発明では、約１〜２ピクセル（ｐｉｘｅｌ）単位の微細位置調整が行われるので、実際目視でイメージの位置変更を認知しにくいし、最小距離移動で残像現象減少において最大効果を奏することができる。
【図面の簡単な説明】
【００１３】
【図１ａ】図１ａは、表示累積時間による赤色、緑色、青色の輝度減少程度を示すグラフである。
【図１ｂ】図１ｂは、残像現象が発生した形態を示す例示図である。
【図２】図２は、本発明の実施例による表示装置１００の内部構成図である。
【図３】図３は、本発明の実施例による表示装置１００の残像減少のためのＧＵＩ提供方法を説明する流れ図である。
【図４】図４は、図３の実施例によってアイテムが移動する形態を示す図である。
【図５】図５は、図４のインジケータ領域４１内のアイテム４２、４３、４４、４５が移動する経路の例示図である。
【図６】図６は、本発明の他の実施例による表示装置１００の残像減少のためのＧＵＩ提供方法を説明する流れ図である。
【図７】図７は、本発明のさらに他の実施例による表示装置１００の残像減少のためのＧＵＩ提供方法を説明する流れ図である。
【図８】図８は、図７の実施例によってアイテムが移動する形態を示す図である。
【図９】図９は、本発明のさらに他の実施例による表示装置１００の残像減少のためのＧＵＩ提供方法を説明する流れ図である。
【図１０】図１０は、図９の実施例によってアイテムが移動する形態を示す図である。
【発明を実施するための形態】
【００１４】
本発明において‘アイテム（ｉｔｅｍ）’は、表示装置の現在状態情報を示すイメージ客体（ｉｍａｇｅ  ｏｂｊｅｃｔ）、アプリケーション実行アイコン（ｉｃｏｎ）などに該当することができる。表示装置が移動通信端末機で構成される場合、表示装置１００の現在状態情報を示すイメージ客体は、移動通信網受信感度表示、ワイファイ（Ｗｉｒｅｌｅｓｓ−Ｆｉｄｅｌｉｔｙ、ｗｉｆｉ）受信感度表示、現在時刻表示、バッテリー情報表示、アラーム設定表示、ブルートゥース（Ｂｌｕｅｔｏｏｔｈ（登録商標））活性化可否表示、ＧＰＳ（Ｇｌｏｂａｌ  Ｐｏｓｉｔｉｏｎｉｎｇ  Ｓｙｓｔｅｍ）活性化可否表示などになることができる。
【００１５】
本発明の実施例による表示装置は、好ましくは、携帯端末機になることができ、テレビ、モニタなどの非携帯ディスプレイ装置になることもできる。携帯端末機の場合、移動通信端末機、携帯用マルチメディア再生装置（Ｐｏｒｔａｂｌｅ  Ｍｕｌｔｉｍｅｄｉａ  Ｐｌａｙｅｒ−ＰＭＰ）、個人情報端末機（Ｐｅｒｓｏｎａｌ  Ｄｉｇｉｔａｌ  Ａｓｓｉｓｔａｎｔ−ＰＤＡ）、スマートフォン（Ｓｍａｒｔ  Ｐｈｏｎｅ）、ＭＰ３プレーヤーなどのような情報通信機器及びマルチメディア機器になることができる。以下では、表示装置が移動通信端末機に該当するものと仮定して説明する。
【００１６】
本発明において表示部は、ＡＭＯＬＥＤ（Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ）で構成されることが好ましい。
【００１７】
図２〜図１０を参照して説明される実施例の場合、本明細書の開示に対する示範的な実施例であって、通常の技術者が変形を加えて実施する場合にも、変形された実施例の場合も本発明の権利範囲に含まれることができる。
【００１８】
図２は、本発明の実施例による表示装置１００の内部構成図である。表示装置１００は、格納部１１０、入力部１２０、表示部１３０及び制御部１４０を含む。
【００１９】
格納部１１０は、表示装置１００の動作に必要なプログラム及びデータを格納する構成要素であって、表示装置１００を起動させる運営体制（ＯＳ、Ｏｐｅｒａｔｉｎｇ  Ｓｙｓｔｅｍ）、アプリケーション及びイメージ、オーディオ、ビデオなどのデータを格納することができる。本発明において格納部１１０は、アイテムを移動させて表示するアルゴリズム（ａｌｇｏｒｉｔｈｍ）を格納する。
【００２０】
入力部１２０は、表示装置１００を制御するためのユーザのキー操作信号を入力されて制御部１４０に伝達する。入力部１２０は、ボタン式キーパッドまたはタッチパネル（ｔｏｕｃｈ  ｐａｎｅｌ）で構成されることができ、３＊４パッドまたはＱｗｅｒｔｙパッドを具現することができる。その他、入力部１２０は、所定の個数のボタンキー（ｂｕｔｔｏｎ  ｋｅｙ）、ジョグキー（ｊｏｇ  ｋｅｙ）、ホイールキー（ｗｈｅｅｌ  ｋｅｙ）を含むことができる。入力部１２０は、ユーザ入力によって格納部１１０に格納されたアプリケーションを実行する入力信号を生成し、制御部１４０に送信する。本発明において入力部１２０は、表示部１３０にオン（ｏｎ）またはオフ（ｏｆｆ）する入力信号を生成し、制御部１４０に送信する。
【００２１】
表示部１３０は、ＯＬＥＤ（Ｏｒｇａｎｉｃ  Ｌｉｇｈｔ  Ｅｍｉｔｔｉｎｇ  Ｄｉｏｄｅｓ）で構成されることができ、特に、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ）で構成されることが好ましい。表示部１３０は、表示装置１００の起動画面、待機画面、メニュー画面、アプリケーション実行画面などを出力する。本発明において表示部１３０は、表示部オン／オフ制御部１４１の制御によってオン／オフ機能を行い、アイテム移動部１４２の制御によってアイテムを移動させて表示する。
【００２２】
制御部１４０は、表示装置１００の全般的な動作を制御する構成要素である。本発明の制御部１４０は、表示部オン／オフ制御部１４１及びアイテム移動部１４２を含む。
【００２３】
表示部オン／オフ制御部１４１は、表示部１３０のオン／オフ機能を制御する役目を行う。表示部オン／オフ制御部１４１は、入力部１２０から表示部１３０のオンまたはオフ入力信号を受信すれば、表示部１３０をオンまたはオフする。また、表示部オン／オフ制御部１４１は、表示部１３０のオン後に、タイマーを駆動し、経過時間を測定し、所定の時間に到逹したものと判断すれば、表示部１３０をオフする。
【００２４】
アイテム移動部１４２は、表示部１３０上に表示されるアイテムの位置移動を制御する役目を行う。
【００２５】
本発明においてアイテム（ｉｔｅｍ）は、表示装置１００の現在状態情報を示すイメージ客体（ｉｍａｇｅ  ｏｂｊｅｃｔ）、アプリケーション実行アイコン（ｉｃｏｎ）などに該当することができる。表示装置１００が移動通信端末機である場合、表示装置１００の現在状態情報を示すイメージ客体は、移動通信網受信感度表示、ワイファイ（ｗｉｆｉ）受信感度表示、現在時刻表示、バッテリー情報表示、アラーム設定表示、ブルートゥース（Ｂｌｕｅｔｏｏｔｈ（登録商標））活性化可否表示、ＧＰＳ（Ｇｌｏｂａｌ  Ｐｏｓｉｔｉｏｎｉｎｇ  Ｓｙｓｔｅｍ）活性化可否表示などになることができる。本発明において表示装置１００の現在状態情報を示すイメージ客体は、表示部１３０の所定の領域に一列で配列されることができる。例えば、前記イメージ客体は、表示部１３０の上端領域で左右方向に配列されることができる。
【００２６】
本発明のアイテム移動部１４２は、表示部１３０のオフ状態で表示部１３０のオン命令が入力されることを認識すれば、アイテムを表示部１３０のオフ直前に表示された位置から所定の間隔をもって移動させて表示するように表示部１３０を制御する。
【００２７】
本発明の他の実施例において、アイテム移動部１４２は、表示部１３０を制御し、アイテムを所定の位置に表示した後、タイマーを駆動し、経過時間が所定の周期Ｔに到逹するかを判断し、Ｔに到逹すれば、現在表示部１３０がオン状態であるかを判断し、オン状態の場合、表示部１３０を制御し、アイテムを所定の間隔をもって移動させて表示する。アイテム移動部１４２は、経過時間がＴに到逹したとき、表示部１３０がオフ状態であるものと判断すれば、入力部１２０を介して表示部１３０のオン命令が入力されるかを判断し、オン命令が入力されれば、表示部１３０を制御し、アイテムを表示部１３０のオフ直前に表示された位置から所定の間隔をもって移動させて表示する。
【００２８】
本発明のさらに他の実施例において、アイテム移動部１４２は、表示部１３０のオフ状態で表示部１３０のオン命令が入力されることを認識すれば、表示部１３０に表示されるアイテムのうち一部を所定の間隔をもって移動させて表示するように表示部１３０を制御することができる。アイテム移動部１４２は、表示部１３０を制御し、あらかじめ設定された順にアイテムを１つずつ移動させて表示することができ、２つ以上のアイテムをグルーピングし、グループを１つずつ移動させて表示することができる。
【００２９】
本発明のさらに他の実施例において、アイテムは、第１領域及び第２領域に区分されて表示され、この際、アイテム移動部１４２は、表示部１３０のオフ状態で表示部１３０のオン命令が入力されることを認識すれば、第１領域に含まれるアイテムを表示部１３０のオフ直前に表示された位置から所定の間隔をもって移動させて表示し、表示部１３０のオフ及びオン動作の累積回数をチェックすることができる。表示部１３０のオフ及びオン動作の累積回数があらかじめ設定された回数Ｋに到逹するものと判断すれば、アイテム移動部１４２は、表示部１３０を制御し、第２領域に含まれるアイテムを表示部１３０のオフ直前に表示された位置から所定の間隔をもって移動させて表示し、表示部１３０のオフ及びオン動作の累積回数を０に更新することができる。
【００３０】
以上、本発明の実施例による表示装置１００の内部構成について説明し、以下では、前記表示装置１００で具現される残像減少のためのＧＵＩ提供方法について説明する。
【００３１】
図３は、本発明の実施例による表示装置１００の残像減少のためのＧＵＩ提供方法を説明する流れ図である。
【００３２】
図３を参照すれば、３０１段階で、制御部１４０は、入力部１２０を介して表示部１３０のオン（ｏｎ）命令が入力されるかを判断する。ユーザは、表示装置１００に設けられた表示部１３０のオン／オフボタンキーを押圧し、表示部１３０のオン命令を入力することができ、表示部１３０がタッチパネルで構成される場合、タッチパネルにタッチを入力することによって、表示部１３０のオン命令を入力することができる。
【００３３】
制御部１４０は、入力部１２０から表示部１３０のオン（ｏｎ）命令が入力されるものと判断すれば、３０２段階で、表示部１３０を制御し、少なくとも１つのアイテムを表示部１３０の所定の位置に表示する。図３の実施例において、アイテムは、表示部１３０に表示されるイメージ客体のうち相対的に表示変更の頻度が少ないイメージ客体であって、表示装置１００の現在状態情報を示すイメージ客体などになることができる。表示装置１００の現在状態情報を示すイメージ客体としては、移動通信網受信感度表示、ワイファイ（ｗｉｆｉ）受信感度表示、現在時刻表示、バッテリー充電表示、アラーム設定表示、ブルートゥース（Ｂｌｕｅｔｏｏｔｈ（登録商標））活性化可否表示、ＧＰＳ（Ｇｌｏｂａｌ  Ｐｏｓｉｔｉｏｎｉｎｇ  Ｓｙｓｔｅｍ）活性化可否表示などになることができる。
【００３４】
制御部１４０は、表示部１３０に少なくとも１つのアイテム表示時に、表示部１３０の所定の領域に一列で配列させて表示することができる。例えば、制御部１４０は、表示部１３０の上端から所定の厚さの領域にアイテムを水平方向に配列させて表示することができる。
【００３５】
表示装置１００には、アイテム最初表示時のアイテム位置情報が設定されており、制御部１４０は、３０２段階で、表示部１３０を制御し、前記設定されたアイテム位置情報によってアイテムを表示する。
【００３６】
３０３段階で、表示部オン／オフ制御部１４１は、入力部１２０を介して表示部１３０のオフ（ｏｆｆ）命令が入力されるかを判断する。ユーザは、表示装置１００に設けられた表示部１３０のオン／オフボタンキーを押圧し、表示部１３０のオフ命令を入力することができる。
【００３７】
もし、前記段階３０３で判断した結果、入力部１２０を介して表示部１３０のオフ命令が入力されたものと判断すれば、表示部オン／オフ制御部１４１は、３０４段階で表示部１３０をオフする。
【００３８】
その後、３０５段階で、表示部オン／オフ制御部１４１は、入力部１２０を介して表示部１３０のオン（ｏｎ）命令が入力されるかを判断し、オン命令が入力されれば、表示部１３０にオン（ｏｎ）しながら、アイテム移動部１４２に表示部１３０のオン命令が入力されたことを通知する信号を送信する。アイテム移動部１４２は、表示部オン／オフ制御部１４１から信号を受信すれば、３０６段階で、表示部１３０を制御し、少なくとも１つのアイテムを表示部１３０のオフ直前に表示された位置から所定の間隔をもって移動させて表示する。
【００３９】
図３の実施例において、アイテム移動部１４２は、アイテム移動時に、アイテム配列全体を移動させる。例えば、複数のアイテムが左右方向に一列で配列されている場合、アイテム移動部１４２は、アイテム全体を左側または右側に所定の間隔をもって移動させることができる。また、複数のアイテムが上下方向に一列で配列されている場合、アイテム移動部１４２は、アイテム全体を上側または下側に所定の間隔をもって移動させることができる。
【００４０】
本発明において前記所定の間隔は、１ピクセル（ｐｉｘｅｌ）または２ピクセルになることができる。アイテム移動部１４２は、アイテムを１ピクセルまたは２ピクセルずつ移動させることによって、ユーザがアイテム移動について認知しにくくする。
【００４１】
本発明においてアイテム移動部１４２は、所定の経路に沿ってアイテムを移動させる。例えば、アイテムが左右方向に配列されている場合、アイテム移動部１４２は、表示部１３０がオフ状態からオンなる度に、左側に２ピクセル及び右側に２ピクセル範囲内で１ピクセル単位でアイテムを移動させることができる。すなわち、最初アイテムが表示されるときの基準点を（０，０）とすれば、アイテム移動部１４２は、（−１，０）、（−２，０）、（−１，０）、（０，０）、（＋１，０）、（＋２，０）、（＋１，０）、（０，０）の順にアイテムを移動させることができる。
【００４２】
また、アイテム移動部１４２は、表示部１３０がオフ状態からオンされる度に、左側に１ピクセル、右側に１ピクセル、上側に１ピクセル、下側に１ピクセルの範囲内で１ピクセル単位でアイテムを移動させることができる。すなわち、最初アイテムが表示されるときの基準点を（０，０）とするとき、アイテム移動部１４２は、（−１，０）、（−１，−１）、（０，−１）、（０，０）の順にアイテムを移動させることができる。
【００４３】
３０３段階で、表示部１３０オフ命令が入力されないものと判断すれば、表示部オン／オフ制御部１４１は、３０７段階に進行し、３０２段階でのアイテム表示段階後、所定の時間が経過したかを判断する。所定の時間が経過したものと判断すれば、表示部オン／オフ制御部１４１は、３０４段階に進行し、表示部１３０をオフし、表示部オン／オフ制御部１４１及びアイテム移動部１４２は、３０５段階及び３０６段階を行う。
【００４４】
図４は、図３の実施例によってアイテムが移動する形態を示す図である。図４は、移動通信端末機の表示画面に該当する。
【００４５】
図４の［ａ］を参照すれば、表示装置１００の現在状態情報を示すアイテム４２、４３、４４、４５を表示部１３０の上端に位置するインジケータ（ｉｎｄｉｃａｔｏｒ）領域４１に表示している。インジケータ領域４１には、左側から移動通信網受信感度表示アイテム４２、ワイファイ受信感度表示アイテム４３、現在時刻表示アイテム４４及びバッテリー情報表示アイテム４５が配列されている。
【００４６】
図４の［ｂ］を参照すれば、図４の［ａ］の画面で、表示部１３０がオフされ、さらにオンされるときに表示される画面を示す。図４の［ｂ］で、インディケーション領域４１に表示されるアイテム４２、４３、４４、４５は、図４の［ａ］と比べて左側に所定の間隔４６をもって移動して表示される。図４の［ｂ］で、所定の間隔４６は、１ピクセルまたは２ピクセルになることができる。
【００４７】
図５は、図４のインジケータ領域４１内のアイテム４２、４３、４４、４５が移動する経路の例示図である。
【００４８】
図５を参照すれば、アイテム４２、４３、４４、４５は、表示部１３０のオフ後、オン動作が発生する度に所定の間隔４６をもって移動し、左側に２回、右側に４回、左側に２回移動する。所定の間隔４６が１ピクセルであると仮定したら、アイテム４２、４３、４４、４５は、左側に２ピクセル、右側に４ピクセル、左側に２ピクセルを１ピクセル単位で移動するようになる。すなわち、移動通信網受信感度表示アイテム４２の左側下端地点を（０，０）とすれば、前記地点は、表示部１３０のオフ後、オン動作が発生する度に（−１，０）、（−２，０）、（−１，０）、（０，０）、（＋１，０）、（＋２，０）、（＋１，０）、（０，０）の順に移動するようになる。
【００４９】
図３〜図５の実施例によれば、表示装置１００は、表示部１３０をオフ状態からオン状態に変更するとき、相対的に移動頻度が少ないアイテムを所定の間隔をもって移動させることによって、アイテムが固定された位置で持続的に表示されることを防止する。これにより、アイテムが固定された位置で持続的に表示されることによって発生する残像現象を減少させることができる。特に、表示装置１００は、１ピクセルなどの最小距離単位でアイテムを移動させることによって、ユーザがアイテム移動を認知しにくくし、最小距離移動で残像に対して最大効果を奏することができる。
【００５０】
図６を参照すれば、本発明の  他の実施例による表示装置１００の残像減少のためのＧＵＩ提供方法を説明する流れ図である。図６の実施例は、表示装置１００が所定の周期によってアイテムを移動させる実施例に該当する。
【００５１】
６０１段階で、制御部１４０は、表示部１３０を制御し、少なくとも１つのアイテムを表示部１３０の所定の位置に表示する。表示装置１００には、アイテム最初表示時のアイテム位置情報が設定されており、制御部１４０は、６０１段階で、表示部１３０を制御し、前記設定されたアイテム位置情報によってアイテムを表示する。アイテムが表示後、アイテム移動部１４２は、タイマーを駆動させて経過時間を測定する。
【００５２】
６０２段階で、アイテム移動部１４２は、経過時間が所定の周期Ｔに到逹するかを判断する。経過時間がＴに到逹したものと判断すれば、６０３段階で、アイテム移動部１４２は、現在表示部１３０がオン（ｏｎ）状態であるかを判断し、オン状態であるものと判断すれば、６０４段階で、表示部１３０を制御し、少なくとも１つのアイテムを所定の間隔をもって移動させて表示する。
【００５３】
６０３段階で、現在表示部１３０がオフ（ｏｆｆ）状態であるものと判断すれば、アイテム移動部１４２は、６０５段階に進行し、表示部オン（ｏｎ）命令が入力されるかを判断する。ユーザが入力部１２０を介して表示部１３０オン命令を入力すれば、表示部オン／オフ制御部１４１は、表示部１３０オン命令が入力されたことをアイテム移動部１４２に通知する。アイテム移動部１４２は、６０４段階で、表示部１３０を制御し、少なくとも１つのアイテムを所定の間隔をもって移動させて表示する。この際、アイテム移動部１４２は、少なくとも１つのアイテムを表示部１３０オフ直前に表示された位置から所定の間隔をもって移動させて表示するように表示部１３０を制御する。図４及び図５のアイテム移動表示に関する説明は、図６の実施例にも同一に適用される。
【００５４】
図７は、本発明のさらに他の実施例による表示装置１００の残像減少のためのＧＵＩ提供方法を説明する流れ図である。図７の実施例は、表示装置１００がアイテムを１つずつ移動させる実施例に該当する。
【００５５】
図７を参照すれば、７０１段階で、制御部１４０は、入力部１２０を介して表示部１３０のオン（ｏｎ）命令が入力されるかを判断し、表示部１３０のオン（ｏｎ）命令が入力されるものと判断すれば、７０２段階で、制御部１４０は、表示部１３０を制御し、Ｎ個のアイテムを表示部１３０の所定の位置に表示する。Ｎ個のアイテムは、１番からＮ番まで順序が設定されている。
【００５６】
７０３段階で、アイテム移動部１４２は、ｎに１を設定する。ｎは、移動するアイテムの番号を意味し、アイテム移動部１４２は、７０３段階で、第１アイテム〜第Ｎアイテムのうち第１アイテムを移動するアイテムとして設定する。
【００５７】
７０４段階で、表示部オン／オフ制御部１４１は、入力部１２０を介して表示部１３０のオフ（ｏｆｆ）命令が入力されるかを判断する。表示部１３０のオフ命令が入力されたものと判断すれば、表示部オン／オフ制御部１４１は、７０５段階で、表示部１３０をオフする。
【００５８】
その後、７０６段階で、表示部オン／オフ制御部１４１は、入力部１２０を介して表示部１３０のオン（ｏｎ）命令が入力されるかを判断し、オン命令が入力されるものと判断すれば、表示部１３０をオン（ｏｎ）しながら、アイテム移動部１４２に表示部１３０のオン命令が入力されたことを通知する信号を送信する。アイテム移動部１４２は、表示部オン／オフ制御部１４１から信号を受信すれば、７０７段階で、表示部１３０を制御し、第ｎアイテムを表示部１３０のオフ直前に表示された位置から所定の間隔をもって移動させて表示する。もし、ｎが１に設定されている場合、アイテム移動部１４２は、表示部１３０を制御し、第１アイテムを移動させて表示するようになる。
【００５９】
図７の実施例においてアイテム移動部１４２は、アイテム移動時に、アイテムを１つずつ移動させる。例えば、アイテムが左右方向に一列で配列されている場合、アイテム移動部１４２は、最も左側に位置するアイテムから１つずつ左側方向に移動させることができる。
【００６０】
本明細書の実施例において、アイテム移動部１４２は、所定の経路に沿ってアイテムを移動させることができる。例えば、アイテムが左右方向に配列されている場合、アイテム移動部１４２は、表示部１３０がオフ状態からオンされる度に、最も左側に位置するアイテムから順に左側方向に移動させた後、最も右側に位置するアイテムを左側方向に移動させた後には、最も右側に位置するアイテムから右側方向に順に移動させることができる。この際、アイテムとアイテム間隔は、アイテム移動後にも互いに重畳しないように設定されることが好ましい。
【００６１】
その後、７０８段階で、アイテム移動部１４２は、ｎがＮに該当するかを判断する。ｎがＮに該当する場合、アイテム移動部１４２は、７０３段階に進行し、ｎを１に設定し、その後、表示部オン／オフ制御部１４１及びアイテム移動部１４２は、７０４段階〜７０７段階を行う。
【００６２】
７０８段階で、ｎがＮではないと判断する場合、アイテム移動部１４２は、７０９段階で、ｎをｎ＋１に設定し、その後、表示部オン／オフ制御部１４１及びアイテム移動部１４２は、７０４段階〜７０７段階を行う。
【００６３】
７０４段階で、表示部１３０オフ命令が入力されないものと判断すれば、表示部オン／オフ制御部１４１は、７１０段階に進行し、７０２段階でのアイテム表示段階後に、所定の時間が経過したかを判断する。所定の時間が経過したものと判断すれば、表示部オン／オフ制御部１４１は、７０５段階に進行し、表示部１３０をオフし、表示部オン／オフ制御部１４１及びアイテム移動部１４２は、７０６段階及び７０７段階を行う。
【００６４】
図７は、表示装置１００が第１アイテムから第Ｎアイテムまで順次に移動させた後、さらに第１アイテムから移動させる実施例を示しているが、これに限定されるものではなく、表示装置１００は、第１アイテムから第Ｎアイテムまで順次に移動させた後、逆順に第Ｎアイテムから第１アイテムの順に移動させてもよい。
【００６５】
また、図７は、表示装置１００がアイテムを１つずつ移動させる実施例を示しているが、これに限定されるものではなく、表示装置１００は、２つ以上のアイテムをグルーピングし、グループを１つずつ移動させることもできる。
【００６６】
図８は、図７の実施例によってアイテムが移動する形態を示す図である。図８は、移動通信端末機の表示画面に該当する。
【００６７】
図８を参照すれば、図８の［ａ］は、図４の［ａ］と同様に、表示装置１００の現在状態情報を示すアイテム４２、４３、４４、４５を表示部１３０の上端に位置するインジケータ領域４１に表示している。インジケータ領域４１には、左側から移動通信網受信感度表示アイテム４２、ワイファイ受信感度表示アイテム４３、現在時刻表示アイテム４４及びバッテリー情報表示アイテム４５が配列されている。
【００６８】
図８の［ｂ］は、図８の［ａ］の画面で表示部１３０がオフされ、さらにオンされるときに表示される画面を示す。図８の［ｂ］で、インディケーション領域４１に表示される移動通信網受信感度表示アイテム４２は、図８の［ａ］と比べて左側に所定の間隔４６をもって移動して表示されており、他のアイテム４３、４４、４５は、図８の［ａ］と同一の位置に表示されている。
【００６９】
図８の［ｃ］は、図８の［ｂ］の画面で表示部１３０がオフされ、さらにオンされるときに表示される画面を示す。図８の［ｃ］で、インディケーション領域４１に表示されるワイファイ受信感度表示アイテム４３は、図８の［ｂ］と比べて左側に所定の間隔４６をもって移動して表示されており、他のアイテム４２、４４、４５は、図８の［ｂ］と同一の位置に表示されている。
【００７０】
図７及び図８の実施例では、アイテム全体を移動させるものではなく、１つまたは一部のアイテムだけを移動させるので、表示変更を最小化しながらも、最大残像減少効果を発生させることができる。
【００７１】
図９は、本発明のさらに他の実施例による表示装置１００の残像減少のためのＧＵＩ提供方法を説明する流れ図である。図９の実施例は、複数の領域にアイテムが表示される場合、領域別にアイテムを移動させる実施例に該当する。
【００７２】
図９を参照すれば、９０１段階で、制御部１４０は、入力部１２０を介して表示部１３０のオン（ｏｎ）命令が入力されるかを判断し、表示部１３０のオン（ｏｎ）命令が入力されるものと判断すれば、９０２段階で、制御部１４０は、表示部１３０を制御し、少なくとも１つのアイテムをそれぞれ第１領域及び第２領域の所定の位置に表示する。
【００７３】
第１領域に表示されるアイテムは、表示部１３０に表示されるイメージ客体のうち相対的に表示変更の頻度が最も少ないイメージ客体であって、表示装置１００の現在状態情報を示すイメージ客体になることができる。表示装置１００の現在状態情報を示すイメージ客体としては、移動通信網受信感度表示、ワイファイ（ｗｉｆｉ）受信感度表示、現在時刻表示、バッテリー充電表示、アラーム設定表示、ブルートゥース（Ｂｌｕｅｔｏｏｔｈ（登録商標））活性化可否表示、ＧＰＳ（Ｇｌｏｂａｌ  Ｐｏｓｉｔｉｏｎｉｎｇ  Ｓｙｓｔｅｍ）活性化可否表示などになることができる。
【００７４】
第２領域に表示されるアイテムは、第１領域のアイテムよりも表示変更の頻度が多いが、一般的なアプリケーションアイコンよりは、表示変更の頻度が少ないアイテムであって、電話アイコン、メッセージアイコン、インターネットブラウザーアイコンなど相対的に使用頻度が多いアプリケーションアイコンになることができる。
【００７５】
９０３段階で、表示部オン／オフ制御部１４１は、入力部１２０を介して表示部１３０のオフ（ｏｆｆ）命令が入力されるかを判断する。表示部１３０のオフ命令が入力されたものと判断すれば、表示部オン／オフ制御部１４１は、９０４段階で、表示部１３０をオフする。
【００７６】
その後、９０５段階で、表示部オン／オフ制御部１４１は、入力部１２０を介して表示部１３０のオン（ｏｎ）命令が入力されるかを判断し、オン命令が入力されるものと判断すれば、表示部１３０をオン（ｏｎ）しながら、アイテム移動部１４２に表示部１３０のオン命令が入力されたことを通知する信号を送信する。アイテム移動部１４２は、表示部オン／オフ制御部１４１から信号を受信すれば、９０６段階で、表示部１３０を制御し、第１領域内の少なくとも１つのアイテムを表示部１３０のオフ直前に表示された位置から所定の間隔をもって移動させて表示する。図３のアイテム移動形態に関する説明は、図９の実施例にも同一に適用される。
【００７７】
その後、９０７段階で、アイテム移動部１４２は、表示部１３０のオフ及びオン動作の累積回数が所定の回数Ｋに到逹するかを判断する。本発明においてＫは、第２領域のアイテムを移動させる周期に該当する。
【００７８】
表示部１３０のオフ及びオン動作の累積回数がＫに到逹するものと判断すれば、アイテム移動部１４２は、９０８段階で、表示部１３０を制御し、第２領域内の少なくとも１つのアイテムを表示部１３０のオフ直前に表示された位置から所定の間隔をもって移動させて表示する。その後、アイテム移動部１４２は、９０９段階で、表示部１３０のオフ及びオン動作の累積回数を０に更新する。
【００７９】
９０３段階で、表示部１３０オフ命令が入力されないものと判断すれば、表示部オン／オフ制御部１４１は、９１０段階に進行し、９０２段階でのアイテム表示段階後に、所定の時間が経過したかを判断する。所定の時間が経過したものと判断すれば、表示部オン／オフ制御部１４１は、９０４段階に進行し、表示部１３０をオフし、表示部オン／オフ制御部１４１及びアイテム移動部１４２は、９０５段階〜９０９段階を行う。
【００８０】
図９は、２つの領域にアイコンが表示される実施例を説明しているが、これに限定されるものではなく、３個以上の領域にアイコンが表示される実施例にも適用されることができる。
【００８１】
図１０は、図９の実施例によってアイテムが移動する形態を示す図である。図１０は、移動通信端末機の表示画面に該当する。
【００８２】
図１０の［ａ］は、表示装置１００の現在状態情報を示すアイテム４２、４３、４４、４５を表示部１３０の上端に位置する第１領域４１に表示しており、電話アイテム５２、連絡先アイテム５３、メッセージアイテム５４及びメニューアイテム５５を第２領域５１に表示している。第１領域４１には、左側から移動通信網受信感度表示アイテム４２、ワイファイ受信感度表示アイテム４３、現在時刻表示アイテム４４及びバッテリー情報表示アイテム４５が配列されている。
【００８３】
図１０の［ｂ］は、図１０の［ａ］の画面で表示部１３０がオフされ、さらにオンされるときに表示される画面を示す。図１０の［ｂ］で、第１領域４１に表示されるアイテム４２、４３、４４、４５は、図１０の［ａ］と比べて左側に所定の間隔４６をもって移動して表示され、第２領域５１に表示されるアイテム５２、５３、５４、５５は、図１０の［ａ］と同一の位置に表示される。図１０の［ｃ］は、図１０の［ｂ］の画面で表示部１３０がオフされ、さらにオンされるときに表示される画面を示す。図１０の［ｃ］で、第１領域４１に表示されるアイテム４２、４３、４４、４５は、図１０の［ｂ］と比べて左側に所定の間隔４６をもって移動して表示され、第２領域５１に表示されるアイテム５２、５３、５４、５５は、図１０の［ｂ］と比べて左側に所定の間隔５６をもって移動して表示される。
【００８４】
図１０では、表示部オフ及びオン動作が発生する度に第１領域４１内のアイテムが移動し、表示部オフ及びオン動作が二度発生する度に第２領域５１内のアイテムが移動する。
【００８５】
図９及び図１０の実施例では、アイテムの表示変更頻度を考慮して差等的にアイテム移動を行うことによって、最小限の表示変更で残像現象減少において最大効果を奏することができる。
【００８６】
変形例が実施可能であるということは、本発明の属する技術分野における通常の知識を有する者に自明である。
【符号の説明】
【００８７】
１００  表示装置
１１０  格納部
１２０  入力部
１３０  表示部
１４０  制御部
１４１  表示部オン／オフ制御部
１４２  アイテム移動部
【図１ｂ】
2014515119.tif 000003
【図５】
2014515119.tif 000004
【図１ａ】
2014515119.tif 000005
【図２】
2014515119.tif 000006
【図３】
2014515119.tif 000007
【図４】
2014515119.tif 000008
【図６】
2014515119.tif 000009
【図７】
2014515119.tif 000010
【図８】
2014515119.tif 000011
【図９】
2014515119.tif 000012
【図１０】
2014515119.tif 000013
【国際調査報告】
2014515119.tif 000014
2014515119.tif 000015